(57)【要約】【課題】ユーザが使用環境や、好みに合わせて高さ調節を行うことができるスピーカ装置を提供すること。【解決手段】スピーカユニット２と、このスピーカユニット２と連結可能なスタンド３とから構成される。そして、このスタンド３を複数のジョイントユニット６を高さ方向に連結可能に構成したことでスピーカユニット２の高さ調節を可能にした。【選択図】　　　　図１
2004040567.tif 000002
【特許請求の範囲】
【請求項１】
スピーカユニットと、
上記スピーカユニットを上面側に取り付け可能とされると共に、高さ調節が可能とされるスタンドと
から構成されることを特徴とするスピーカ装置。
【請求項２】
上記スタンドは、
相互に高さ方向に連結可能なジョイントユニットを備えて形成されることを特徴とする請求項１に記載のスピーカ装置。
【請求項３】
上記スタンドは、
少なくとも、第１のスタンド部と第２のスタンド部とを備え、上記第１のスタンド部に対して、上記第２のスタンド部がスライド移動可能なように組み合わされて構成されることを特徴とする請求項１に記載のスピーカ装置。
【請求項４】
当該スピーカ装置は、オーディオシステムに使用されるスピーカのうち、少なくとも１つのスピーカとして備えられることを特徴とする請求項１に記載のスピーカ装置。
【発明の詳細な説明】
【０００１】
【発明の属する技術分野】
本発明はスピーカ装置に関するものである。
【０００２】
【従来の技術】
近年、一般家庭などにおいて利用されるＡＶ機器においては、映画館や音楽ホールなどで得られるような臨場感あふれる音響効果が得られるように、例えば５．１チャンネルサラウンドシステムなどの複数のスピーカを用いたマルチチャンネルオーディオシステムなどが備えられている。
【０００３】
図１０は、従来のマルチチャンネルオーディオシステムの概要説明図である。この図１０（ａ）は、マルチチャンネルオーディオシステム（以下、「サラウンドシステム」という）におけるスピーカの配置位置と音場との関係を立体的に示した図、同図（ｂ）は平面的に示した図である。なお、この図１０（ａ）（ｂ）に示すサラウンドシステムは、ユーザのフロントとリア側にそれぞれ２本ずつ計４本のスピーカを用いて構成されるものとする。
【０００４】
この場合は、テレビジョン受像機などの映像表示装置１１０の両側に、それぞれスピーカ１００，１００を配置すると共に、ユーザＵの視聴する視聴位置の背面側にスピーカ１００，１００を配置するようにしている。これにより、視聴位置におけるユーザＵに最良の音場を提供する、即ちユーザＵに最良の音響効果を与えるようにしている。
【０００５】
【発明が解決しようとする課題】
ところで、上記したようなサラウンドシステムによる音響効果は、スピーカの設置位置を移動させると変化することが知られている。
このため、４本のスピーカ１００の設置する際には、スピーカ１００を設置する場所や、スピーカ１００の放音面の高さを適正な高さに設定することが望ましいとされる。
【０００６】
しかしながら、これまでのサラウンドシステムでは、スピーカ１００の設置位置はユーザが任意に変更できるものの、その高さ位置については変更することができないものであった。つまり、スピーカ１００の高さ位置については固定であった。そして、そのようなスピーカ装置１００は、その多くがユーザＵがソファーや椅子に座って視聴することを前提に設計されており、その放音面の高さ位置は、椅子に座っているユーザＵの顔の高さ位置となるようにスタンド１０１の高さ（長さ）が設定されていた。
【０００７】
図１１は、従来のスピーカ装置の構成を示した図である。
この図１１に示すスピーカ装置１００は、スピーカユニット２がスタンド１０１の上部に取り付けられている。そして、この場合にはスピーカユニット２の高さ位置が、例えば椅子に座っているユーザＵの顔の高さ位置となるように、スタンド１０１の高さ（長さ）が設定されている。このため、例えば室内のレイアウトを変更するなどして、ユーザＵが目線の高さを変更したときや、ユーザＵが自身の好みに合った音場設定を行ったときに最良の音場を提供することができなくなることがあった。つまり、上記したような従来のスピーカ１００は高さ調節という点では自由度が低いものであった。
【０００８】
そこで、本発明は上記したような点を鑑みてなされたものであり、ユーザが使用環境や、好みに合わせて高さ調節を容易に行うことができるスピーカ装置を提供することを目的とする。
【０００９】
【課題を解決するための手段】
上記目的を達成するため、本発明のスピーカ装置は、スピーカユニットと、スピーカユニットを上面側に取り付け可能とされると共に、高さ調節が可能とされるスタンドとから構成されている。
【００１０】
本発明によれば、スピーカユニットが上面に取り付けられるスタンドの高さ（長さ）を調節可能な構造にしたことで、スピーカユニットの高さを適切な高さに調節することが可能になる。
【００１１】
【発明の実施の形態】
以下、本発明の実施の形態について説明する。
図１は、本発明の第１実施の形態としてのスピーカ装置の構成を示した図であり、同図（ａ）はスピーカ装置の全体構成を示した斜視図、同図（ｂ）は、その分解斜視図である。
この図１（ａ）に示すスピーカ装置１は、スピーカユニット２、スタンド３、ベース４により構成される。
スピーカユニット２は、スピーカを備えるユニット部位であり、入力音声信号を可聴音声に変換して出力するようにされる。
【００１２】
スタンド３は、スピーカユニット２を所要の高さ位置に設置するために設けられており、このスタンド３の上面部にスピーカユニット２が取り付けられ、その下面部にはベース４が取り付けられている。この場合、スタンド３はスピーカユニット２の胴部が同じ太さで形成されている。
【００１３】
ベース４は、スタンド３及びスピーカユニット２から成る柱状部位を直立状態で支持するために設けられている。
また、ベース４には図示していないＡＶ機器本体から音声信号用のスピーカケーブルを接続するためのコネクタなどが設けられている。なお、スピーカユニット２の上面部には蓋５が取り付けられている。
【００１４】
そして、このような本実施の形態のスピーカ装置１においては、図１（ｂ）に示すようにスタンド３を、例えば複数のジョイントユニット６を縦列的に接続して形成するようにした。
このようにすれば、スタンド３の長さ（高さ）は、使用するジョイントユニット６の本数を変更することで調節することが可能になる。よって、このようなスタンド３の上部にスピーカユニット２を取り付けるようにすれば、スピーカユニット２の高さ位置を調節することが可能になる。
例えば図２（ａ）に示すように、スタンド３を構成するジョイントユニット６の本数を３本から２本にすることで、スピーカユニット２の高さを低く調節することができる。
【００１５】
従って、このような本実施の形態のスピーカ装置１を用いてＡＶ機器のサラウンドシステムを構築した場合には、ユーザＵの視聴位置における高さを考慮してスピーカ装置１を配置することが可能になり、ユーザＵにとって、より良好な音場を提供することができる。
【００１６】
例えば図３（ａ）に示すように、テレビジョン受像機などの映像表示装置６１を椅子に座って視聴するユーザＵの顔の高さ位置を基準にして適正な音場設定を行う場合には、例えば上記図１（ａ）に示したようにスタンド３に使用するジョイントユニット６の本数を３本にする。
【００１７】
また、図３（ｂ）に示すように、映像表示装置６２を床面に座って視聴するユーザＵの顔の高さ位置を基準にして適正の音場設定を行う場合には、例えば上記図２（ａ）に示したように、スタンド３に使用するジョイントユニット６の本数を３本から２本あるいは１本にする。
【００１８】
これにより、スピーカユニット２の高さ位置をユーザＵの顔の高さ位置に合うようにして調節することができるため、ユーザＵにも良好な音場を提供することができる。また、高さ調節作業も、ジョイントユニットの取り付け／取り外しするだけなので容易であるといえる。
従って、このような本実施の形態のスピーカ装置によれば、例えばユーザＵが視聴位置の高さを変更するなど、本実施の形態のスピーカ装置の使用形態を変えた場合でも、スピーカ装置の位置調整に加えて、スピーカユニット２の高さ調節を行うようにすれば、ユーザＵは映像と一体感のある音響効果が得られるようになる。
【００１９】
なお、例えば図３（ａ）に示したように、椅子に座って視聴するユーザＵの高さ位置から、図３（ｂ）に示したように、床面に座って視聴するユーザＵの高さ位置に変更する際には、つまりスピーカユニット２の高さ位置を低く調節する際には、図２（ｂ）に示したように、不要になるジョイントユニット６をスピーカユニット２の上部に取り付けるようにしてもよい。
【００２０】
このように構成すると不要になるジョイントユニット６を保管する手間が省けるうえ、視覚的にも面白いスピーカ装置１とすることができる。また、後述するようにスピーカ装置１内の内容積が同じになるため、スピーカ装置１の低音側の特性悪化を防止することができるという効果も期待できる。
また、フロント側のスピーカからそれぞれ１本ずつ取り外したジョイントユニット６を、リア側のスピーカのスタンドに取り付けて、リア側のスピーカ位置を高くするようにしてもよい。
【００２１】
なお、本実施の形態では、スタンド３を構成するジョイントユニット６の本数を１本、２本又は３本として説明したが、これはあくまでも一例であり、さらに多くの本数のジョイントユニット６を用いてスタンド３を構成してもよいことはいうまでもない。
【００２２】
また、スタンド３に対するスピーカユニット２の取り付け方法としては、例えば図４に示すように、スピーカユニット２を９０°回転させて縦置きから横置きにして取り付けるといったことも考えられる。
【００２３】
ここで、図５、図６を用いてジョイントユニット６とスピーカユニット２の上面部及び下面部の構造について説明する。
先ず、ジョイントユニット６の上面部と下面部の構造を図５（ａ）（ｂ）を用いて説明する。
図５はジョイントユニット６の上面部及び下面部の構造を示した図である。
この図５（ａ）は上記図１（ｂ）において矢示Ａにより示したジョイントユニット６の上面部の構造を示した図である。また同図（ｂ）は、同じく図１（ｂ）において矢示Ｂにより示したジョイントユニット６の下面部の構造を示した図である。
【００２４】
この図５（ａ）に示すように、ジョイントユニット６の上面部は、図６（ｂ）に示すスピーカユニット２または図５（ｂ）に示すジョイントユニット６の下面部に連結するための連結機構として、第１のロック受部１１と、第２のロック受部１２ａ，１２ｂとが設けられている。そして、このようなジョイントユニット６の上面部を例えばスピーカユニット２の下面部に取り付ける場合には、上記した第１ロック受部１１を図６（ｂ）に示すスピーカユニット２の第１ロック部２１とを係合させると共に、第２ロック受部１２ａ，１２ｂをスピーカユニット２の第２ロック部２２ａ，２２ｂと係合させるようにしている。これにより、ジョイントユニット６の上面に、スピーカユニット２を連結（固着）するようにしている。
【００２５】
なお、スピーカユニット２とジョイントユニット６の連結を解除するときは、図示していないが、例えばスピーカユニット２の第１ロック部２１とジョイントユニット６の第１ロック受部１１との係合を解除する方向に第１ロック部２１を移動させるような機構が備えられている。
【００２６】
また、ジョイントユニット６の上面四隅には、収納部１３ａ，１３ｂ，１３ｃ，１３ｄが設けられている。この収納部１３ａ〜１３ｄには、図６（ｂ）に示すスピーカユニット２の下面部に設けられている脚部２３ａ〜２３ｄが収納される。
またジョイントユニット６は、その内部を空気室として機能させてスピーカユニット２の内容積と共に全体としてスピーカキャビネットの背気室を形成するために中空状になっている。このため、スピーカユニット２の中央部には開口部１４が設けられている。
【００２７】
また、ジョイントユニット６の上面部には、コネクタ１５が設けられている。そして、図示しているコネクタ１５の４つの端子のうち、少なくとも２つの端子が、ジョイントユニット６内の図示していないスピーカケーブルを介して下面側のコネクタ２５の端子に対してそれぞれ接続されている。
【００２８】
一方、ジョイントユニット６の下面部は、図５（ｂ）に示すように、ジョイントユニット６の上面を連結する連結機構として、上記したジョイントユニット６の第１ロック受部１１と係合される第１ロック部２１と、ジョイントユニット６の第２ロック受部１２ａ，１２ｂと係合される第２ロック部２２ａ，２２ｂが設けられている。また、スピーカユニット２の下面四隅には、脚部２３ａ，２３ｂ，２３ｃ，２３ｄが設けられている。またこの場合も、その中央部には開口部２４が設けられている。そしてジョイントユニット６の下面部にコネクタ２５が設けられている。
【００２９】
次に、スピーカユニット２の上面部と下面部の構造を図６を用いて説明する。なお、図５と同一部位には同一番号を付して説明は省略する。
図６（ａ）は上記図１（ｂ）において矢示Ｃにより示したスピーカユニット２の上面部の構造を示した図である。また同図（ｂ）は上記図１（ｂ）において矢示Ｄにより示したスピーカユニット２の下面部の構造を示した図である。
【００３０】
この図６（ａ）に示すスピーカユニット２の上面部は、上記した上記したジョイントユニット６の上面部とほぼ同様の構成とされ、上記図５（ａ）に示したジョイントユニット６の構成とはコネクタ１５が設けられていない点だけが異なっている。
なお、このようにスピーカユニット２の上面をジョイントユニット６と同様に構成しているのは、上述したように、スピーカユニット２の上面にジョイントユニット６を接続することを考慮したものであり、スピーカユニット２の上面は、必ずしも図５（ａ）に示すような構成にする必要はなく、少なくとも蓋５を取付可能に構成しておけば良い。
【００３１】
また、図６（ｂ）に示すスピーカユニット２の下面部は、上記したジョイントユニット６の下面部とほぼ同様の構成とされるが、スピーカユニット２の下面部には、スピーカユニット２を単体で使用するときに、ＡＶ機器からの図示しないスピーカケーブルを接続するためのケーブル接続部２６などが設けられている。
【００３２】
従って、本実施の形態のように、ジョイントユニット６の上面部と下面部を接続しながら、複数のジョイントユニット６を縦列的に接続してスタンド３を形成すると、スタンド３の下面部のコネクタ２５と、スタンド３の上面部のコネクタ１５との間を電気的に接続することができる。つまり、スタンド３を構成する複数のジョイントユニット６内のスピーカケーブルを電気的に接続することができる。
【００３３】
よって、本実施の形態のような連結機構を利用してスタンド３の上面部にスピーカユニット２を連結すれば、スピーカユニット２をスタンド３に取り付けることができると共に、スピーカユニット２のコネクタ２５とスタンド３の信号コネクタ１５とにより、スピーカユニット２とスタンド３間を電気的に接続することができる。
【００３４】
また図示していないがベース４のほぼ中央位置に、上記したジョイントユニット６の上面部と同様の構成を設けるようにすれば、ベース４にジョイントユニット６を連結することができると共に、ベース４に設けられている図示しないコネクタとスタンド３間を電気的に接続することができる。
このようにして、スピーカユニット２のスピーカへの信号供給をスタンド３内に設けたスピーカケーブルを利用して行うようにすれば、スピーカに接続するスピーカケーブルが外部から見えないように形成できるので、美観が損なわれることもない。
【００３５】
次に、図７を用いて第２の実施の形態としてのスピーカ装置の構成について説明する。
この図７（ａ）（ｂ）に示すスピーカ装置３１は、スピーカユニット２が取り付けられるスタンド３２が伸縮自在に形成されている。
【００３６】
この場合のスタンド３２は、図示するように第１スタンド部３２ａと、この第１スタンド部３２ａの内径形状より小さく、少なくとも第１スタンド部３２ａの内部に挿通可能な外形で柱状とされる第２スタンド部３２ｂとにより形成されている。これにより、スタンド３２は、第１スタンド部３２ａに対して第２スタンド部３２ｂがスライド移動可能に組み合わされるようにして構成されている。
【００３７】
従って、第２スタンド部３２ｂを第１スタンド部３２ａの内部に収納した時のスタンド３２は図７（ａ）のように示すことができる。また、第２スタンド部３２ｂを第１スタンド部３２ａから引き出すようにしてスライドさせた時のスタンド３２は、図７（ｂ）のように示すことができる。
【００３８】
つまり、このような構成のスタンド３２においては、第１スタンド部３２ａから第２スタンド部３２ｂの引出量（スライド移動量）を調節することで、スタンド３２の長さを調整することができる。従って、このようなスタンド３２の上部にスピーカユニット２を取り付けるようにした場合もスピーカユニット２の高さ位置を調節することができる。なお、この場合もスタンド３２の上面部、及び下面部の構成は上記図５（ａ）（ｂ）のような構成により実現することができる。
【００３９】
ここで、上記図７に示したスタンドの構造を図８に示す断面図を用いて説明する。
この図８に示すように、第１スタンド部３２ａの内面側には信号用レール３６が形成されていると共に、第２スタンド部３２ｂの内面側には同じく信号用レール３４が形成されている。そして、これら信号用レール３４，３６が、例えば第２スタンド部３２ｂの下端部側に形成された接点３５を介して電気的に接続されている。
【００４０】
このようにすれば、第１スタンド部３２ａから第２スタンド部３２ｂを引き出す長さを変えた場合でも、第１スタンド部３２ａと第２スタンド部３２ｂとの間の電気的に接続することができる。なお、第１スタンド部３２ａと第２スタンド部３２ｂとの電気的な接続方法はあくまでも一例であり、例えばスタンド３２上面部と下面部の間をスピーカケーブルによって接続することも可能である。
【００４１】
また、第１スタンド部３２ａと第２スタンド部３２ｂとの固定は、例えば図示するようにネジ３３により行うことが可能である。なお、第１スタンド部３２ａと第２スタンド部３２ｂとの固定機構は各種考えられるものである。
【００４２】
また、上記図８に示したスピーカ装置３１では、スタンド３２を第１スタンド部３２ａと第２スタンド部３２ｂとの２段構成にした場合を例にあげて説明したが、さらに多段構成にすることも可能である。
【００４３】
そのようなスピーカ装置の構成例を図９に示す。
この図９に示すスピーカ装置４１は、スタンド４２を、第１スタンド部４２ａと、この第１スタンド部４２ａより僅かに小さく、第１スタンド部４２ａの内部に収納可能な第２スタンド部４２ｂが設けられている。そして、この第２スタンド部４２ｂより僅かに小さく、第２スタンド部４２ｂの内部に収納可能な第３スタンド部４２ｃとが設けられている。即ち、この場合のスタンド４２を３段構成にした場合が示されている。
【００４４】
このようにスピーカ装置４１のスタンド４２を構成して、スタンド４２の上部にスピーカユニット２を取り付けるようにした場合も、スピーカユニット２の高さ位置を容易に調節することが可能である。
【００４５】
【発明の効果】
以上の説明から分かるように、本発明のスピーカ装置は、スピーカユニットとスピーカユニットを取付可能なスタンドとからなる。そして、このスピーカユニットが取り付けられるスタンドを高さ（長さ）を調節可能な構造とした。これにより、スピーカユニットの高さ位置を適正な高さに調節することができるため、高さ位置についての自由度が高いスピーカ装置を実現することができる。
【００４６】
従って、このような本発明のスピーカ装置を用いてＡＶ機器を構成すれば、例えば室内のレイアウトを変更したり、ユーザの好みに合った音場設定を行う際に、スピーカ装置の高さ調節が行われることで、常に良好とされる音場を提供することが可能になる。
【図面の簡単な説明】
【図１】本発明の第１の実施の形態のスピーカ装置の構成を示した図である。
【図２】第１の実施の形態としてのスピーカ装置の使用形態の一例を示した図である。
【図３】第１の実施の形態のスピーカ装置により設定可能な音場を示した図である。
【図４】スピーカユニットの他の取り付け例を示した図である。
【図５】ジョイントユニットの上面部及び下面部の構成を示した図である。
【図６】スピーカユニットの上面部及び下面部の構成を示した図である。
【図７】第２の実施の形態のスピーカ装置の構成を示した図である。
【図８】第２の実施の形態のスピーカ装置の構造を説明するための断面図である。
【図９】第２の実施の形態のスピーカ装置の変形例である。
【図１０】従来のマルチチャンネルオーディオシステムの説明図である。
【図１１】従来のスピーカ装置の構造を示した図である。
【符号の説明】
１　３１　４１　スピーカ装置、２　スピーカユニット、３　スタンド、４　ベース、５　フタ、６　ジョイントユニット、１１　第１ロック受部　１２　第２ロック受部、１３　収納部、１４　２４　開口部、１５　２５　コネクタ、２１　第１ロック部、２２　第２ロック部、２３　脚部、２６　ケーブル接続部、３２　４２　スタンド、３３　ネジ、３４　３６　信号用レール、３５　接点、６１　６２　映像表示装置
【図１】
2004040567.tif 000003
【図２】
2004040567.tif 000004
【図３】
2004040567.tif 000005
【図４】
2004040567.tif 000006
【図５】
2004040567.tif 000007
【図６】
2004040567.tif 000008
【図７】
2004040567.tif 000009
【図８】
2004040567.tif 000010
【図９】
2004040567.tif 000011
【図１０】
2004040567.tif 000012
【図１１】
2004040567.tif 000013